(57)【要約】【課題】像保持体の回転軸方向に沿って像保持体の表面に生じる清掃部材の接触圧力のむらを抑制することができる像保持体装置及び画像形成装置を得る。【解決手段】像保持体１８の他端側の表面位置が、回転時に設計値に対しばらつくことで、他端接触部Ｊ側での清掃ブレード２４の接触圧力が、一端接触部Ｇ側での清掃ブレード２４の接触圧力より高くなる。一方、他端接触部Ｊでは、一端接触部Ｇに比して、板金部材８２の変形による影響を大きく受けるように第一ボルト９４及び第二ボルト９６の配置位置（固定位置）が決められているため、他端接触部Ｊにおける清掃ブレード２４の接触圧力が低くなる。これにより、像保持体１８の回転軸方向に沿って像保持体１８の表面に生じる清掃ブレード２４の接触圧力のむらを抑制することができる。【選択図】図１
2013072889.tif 000002
【特許請求の範囲】
【請求項１】
円柱形状とされ、円柱形状の中心線上に設けられた軸部を備えると共に、前記軸部の軸線周りに回転可能とされ、回転しながら表面にトナー画像が形成される像保持体と、
長手方向の一端側に回転力が伝達される前記像保持体の他端側を回転可能に支持する支持部材と、
弾性材料で成形され、前記像保持体の回転軸方向に沿って延び、先端部が前記像保持体の表面と接触し、回転する前記像保持体の表面から前記像保持体の表面に付着した異物を掻き取って前記像保持体の表面を清掃する清掃部材と、
前記清掃部材の基端側を前記清掃部材の長手方向に沿って支持する金属製で板状の板金部材と、  
前記板金部材を前記像保持体の一端側で装置本体に設けられたフレーム部材に固定する第一固定部材と、
前記板金部材を前記像保持体の他端側で前記フレーム部材に固定すると共に、前記像保持体の一端側における前記清掃部材の端部と前記像保持体との一端接触部から前記第一固定部材までの前記回転軸方向に沿った距離よりも、前記像保持体の他端側における前記清掃部材の端部と前記像保持体との他端接触部からの前記回転軸方向に沿った距離が長くなるように設けられる第二固定部材と、
を備える像保持体装置。
【請求項２】
請求項１に記載の像保持体装置と、
前記像保持体装置に設けられた像保持体の表面を帯電させる帯電部材と、
前記帯電部材によって帯電した前記像保持体の表面に静電潜像を形成する露光部材と、
前記像保持体の表面に形成された静電潜像をトナー画像として可視化する現像部材と、
を備える画像形成装置。
【発明の詳細な説明】
【技術分野】
【０００１】
本発明は、像保持体装置、及びこれを備えた画像形成装置に関する。
【背景技術】
【０００２】
特許文献１には、画像形成装置の感光体ドラム（像保持体）に付着した残留トナー等を除去するクリーニングブレード（清掃部材）が記載されている。
【０００３】
このクリーニングブレードはブレードホルダーに設けられたブレード支持部で支持され、このクリーニングブレードの左右両側端部が中央部に比べてブレード支持部から大きく突出するようにブレード支持部の形状が決められている。
【先行技術文献】
【特許文献】
【０００４】
【特許文献１】特開２００１−２４９５９１
【発明の概要】
【発明が解決しようとする課題】
【０００５】
本発明の課題は、像保持体の回転軸方向に沿って像保持体の表面に生じる清掃部材の接触圧力のむらを抑制することである。
【課題を解決するための手段】
【０００６】
本発明の請求項１に係る像保持体装置は、円柱形状とされ、円柱形状の中心線上に設けられた軸部を備えると共に、前記軸部の軸線周りに回転可能とされ、回転しながら表面にトナー画像が形成される像保持体と、長手方向の一端側に回転力が伝達される前記像保持体の他端側を回転可能に支持する支持部材と、弾性材料で成形され、前記像保持体の回転軸方向に沿って延び、先端部が前記像保持体の表面と接触し、回転する前記像保持体の表面から前記像保持体の表面に付着した異物を掻き取って前記像保持体の表面を清掃する清掃部材と、前記清掃部材の基端側を前記清掃部材の長手方向に沿って支持する金属製で板状の板金部材と、前記板金部材を前記像保持体の一端側で装置本体に設けられたフレーム部材に固定する第一固定部材と、前記板金部材を前記像保持体の他端側で前記フレーム部材に固定すると共に、前記像保持体の一端側における前記清掃部材の端部と前記像保持体との一端接触部から前記第一固定部材までの前記回転軸方向に沿った距離よりも、前記像保持体の他端側における前記清掃部材の端部と前記像保持体との他端接触部からの前記回転軸方向に沿った距離が長くなるように設けられる第二固定部材と、を備えることを特徴とする。
【０００７】
本発明の請求項２に係る画像形成装置は、請求項１に記載の像保持体装置と、前記像保持体装置に設けられた像保持体の表面を帯電させる帯電部材と、前記帯電部材によって帯電した前記像保持体の表面に静電潜像を形成する露光部材と、前記像保持体の表面に形成された静電潜像をトナー画像として可視化する現像部材と、を備えることを特徴とする。
【発明の効果】
【０００８】
本発明の請求項１の像保持体装置によれば、清掃部材の基端側を支持する板金部材の２個の固定点が、夫々、清掃部材の長手方向の両端部から同じ距離に設けられている場合と比して、像保持体の回転軸方向に沿って像保持体の表面に生じる清掃部材の接触圧力のむらを抑制することができる。
【０００９】
本発明の請求項２の画像形成装置によれば、請求項１に記載の像保持体装置が設けられていない場合と比して、像保持体の回転軸方向に沿って像保持体の表面に形成されるトナー画像の濃度むらを抑制することができる。
【図面の簡単な説明】
【００１０】
【図１】本発明の本実施形態に係る像保持体ユニットを示した正面図である。
【図２】本発明の本実施形態に係る像保持体ユニットを示した斜視図である。
【図３】本発明の本実施形態に係る像保持体ユニットを示した分解斜視図である。
【図４】本発明の本実施形態に係る像保持体ユニットを示した拡大斜視図である。
【図５】本発明の本実施形態に係る画像形成装置を示した概略構成図である。
【発明を実施するための形態】
【００１１】
本発明の実施形態に係る像保持体装置及び画像形成装置の一例について図１〜図５に従って説明する。なお、図中に示す矢印ＵＰは、鉛直方向上方を示す。なお、鉛直方向上方及び鉛直方向下方については、単に上方及び下方と記載することがある。
【００１２】
（全体構成）
図５に示されるように、画像形成装置１０の装置本体１０Ａ内の側方（図中左側）には、画像形成装置１０に入力される画像データに対して画像処理を行なう画像処理部１２が設けられている。
【００１３】
この画像処理部１２は、入力された画像データをイエロー（Ｙ）、マゼンタ（Ｍ）、シアン（Ｃ）、ブラック（Ｋ）の４色の階調データに処理するようになっている。また、画像処理部１２によって処理された階調データを受け取って、レーザ光ＬＢによる画像露光を行う露光部材の一例としての露光装置１４が装置本体１０Ａ内の中央に設けられている。
【００１４】
この露光装置１４の上方には、イエロー（Ｙ）、マゼンタ（Ｍ）、シアン（Ｃ）、ブラック（Ｋ）の４つの画像形成部１６Ｙ、１６Ｍ、１６Ｃ、１６Ｋが、水平方向に対して傾斜する方向に間隔をおいて配置されている。なお、以後の説明において、Ｙ，Ｍ，Ｃ，Ｋを区別して説明する必要が無い場合は、Ｙ，Ｍ，Ｃ，Ｋを省略して記載することがある。
【００１５】
これらの４つの画像形成部１６Ｙ、１６Ｍ、１６Ｃ、１６Ｋは、すべて同様に構成されており、夫々の画像形成部１６には、一定の速度で回転する円柱形状の像保持体１８と、この像保持体１８の表面を帯電する一次帯電用の帯電部材２０と、前述した露光装置１４の画像露光によって帯電した像保持体１８の表面に形成された静電潜像を各色のトナーで現像してトナー画像として可視化する現像部材２２と、像保持体１８の表面を清掃する清掃部材の一例としての清掃ブレード２４とが設けられている。また、帯電部材２０の下方には、帯電部材２０と接して帯電部材２０の表面を清掃する清掃ロール６４が設けられている。
【００１６】
ここで、像保持体１８、清掃ブレード２４、帯電部材２０、及び清掃ロール６４は、像保持体装置の一例としての像保持体ユニット７０を構成している。この像保持体ユニット７０は、図示せぬメンテナンスドアを開放することで、装置本体１０Ａに対して着脱可能とされている。なお、この像保持体ユニット７０については、詳細を後述する。
【００１７】
また、露光装置１４には、４つの画像形成部１６Ｙ、１６Ｍ、１６Ｃ、１６Ｋに対して構成された、図示しない４つの半導体レーザが設けられている。画像処理部１２によって処理された階調データに応じてこれら４つの半導体レーザからレーザ光ＬＢ−Ｙ、ＬＢ−Ｍ、ＬＢ−Ｃ、ＬＢ−Ｋが出射されるようになっている。
【００１８】
なお、半導体レーザから出射されたレーザ光ＬＢ−Ｙ、ＬＢ−Ｍ、ＬＢ−Ｃ、ＬＢ−Ｋは、図示しないシリンドリカルレンズを介して回転多面鏡であるポリゴンミラー２６に照射され、このポリゴンミラー２６によって偏向走査されるようになっている。このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００１９】
また、この露光装置１４は、下方から像保持体１８上に画像を走査露光するものであるため、この露光装置１４には、上方に位置する４つの現像部材２２等からトナー等が落下する虞が有る。そのため、露光装置１４は、周囲から内部を密閉する直方体状の筐体２８を備えている。
【００２０】
また、この筐体２８の上部には、４本のレーザ光ＬＢ−Ｙ、ＬＢ−Ｍ、ＬＢ−Ｃ、ＬＢ−Ｋを、各像保持体１８上に向けて透過させる透明なガラス製のウインドウ３０Ｙ、３０Ｍ、３０Ｃ、３０Ｋが設けられている。
【００２１】
一方、各画像形成部１６Ｙ、１６Ｍ、１６Ｃ、１６Ｋの上方には、一次転写ユニット２１が設けられている。この一次転写ユニット２１は、無端状の中間転写ベルト３２と、中間転写ベルト３２が巻き掛けられ回転駆動して中間転写ベルト３２を矢印方向に周回させる駆動ロール３６と、中間転写ベルト３２が巻き掛けられ中間転写ベルト３２に張力を付与する張力付与ロール４０と、張力付与ロール４０の上方に設けられて中間転写ベルト３２と従動回転する従動ロール６６と、中間転写ベルト３２を挟んで像保持体１８Ｙ、１８Ｍ、１８Ｃ、１８Ｋの反対側に配置される転写部材としての一次転写ロール３４Ｙ、３４Ｍ、３４Ｃ、３４Ｋと、を含んで構成されている。
【００２２】
この４つの一次転写ロール３４Ｙ、３４Ｍ、３４Ｃ、３４Ｋによって、像保持体１８上に順次形成されたイエロー（Ｙ）、マゼンタ（Ｍ）、シアン（Ｃ）、ブラック（Ｋ）の各色のトナー画像が、中間転写ベルト３２上に、多重に転写される構成となっている。
【００２３】
さらに、中間転写ベルト３２の外周面を清掃する清掃ブレード３８が、中間転写ベルト３２を挟んで駆動ロール３６の反対側に設けられている。
【００２４】
また、中間転写ベルト３２を挟んで従動ロール６６の反対側には、二次転写ロール４２が設けられている。中間転写ベルト３２上に多重に転写されたイエロー（Ｙ）、マゼンタ（Ｍ）、シアン（Ｃ）、ブラック（Ｋ）の各色のトナー画像は、中間転写ベルト３２により搬送される。中間転写ベルト３２により搬送されたトナー画像は、従動ロール６６と二次転写ロール４２に挟まれ、用紙搬送経路５６に沿って搬送される記録媒体としてのシート部材Ｐに二次転写されるようになっている。
【００２５】
さらに、二次転写ロール４２に対してシート部材Ｐの搬送方向の下流側（以下単に「搬送方向下流側」と言う）には、シート部材Ｐに転写されたトナー画像を熱及び圧力によりシート部材Ｐに定着する定着装置４４が設けられている。
【００２６】
また、定着装置４４の搬送方向下流側には、トナー画像が定着したシート部材Ｐを画像形成装置１０の装置本体１０Ａの上部に設けられた排出部４８に排出する排出ロール４６が設けられている。
【００２７】
一方、画像形成装置１０の装置本体１０Ａ内の下方には、シート部材Ｐが積載される給紙部材５０が設けられている。さらに、この給紙部材５０に積載されたシート部材Ｐを用紙搬送経路５６へ送り出す給紙ロール５２が設けられ、給紙ロール５２の搬送方向下流側には、シート部材Ｐを１枚ずつ分離して搬送る分離ロール５４が設けられている。また、分離ロール５４の搬送方向下流側には、搬送タイミングを合わせる位置合せロール５８が設けられている。これにより、給紙部材５０から供給されたシート部材Ｐは、予め決められたタイミングで回転する位置合せロール５８によって中間転写ベルト３２と二次転写ロール４２とが接する位置（二次転写位置）へ送り出される構成となっている。
【００２８】
さらに、排出ロール４６の隣なりには、定着装置４４によって片面にトナー画像が定着されたシート部材Ｐを、排出ロール４６によって排出部４８上にそのまま排出せずに、両面用搬送経路６２に搬送する搬送ロール６０が設けられている。搬送ロール６０により、両面用搬送経路６２に沿って搬送されるシート部材Ｐは、表裏が反転された状態で、位置合せロール５８へと再度搬送され、今度は、シート部材Ｐの裏面にトナー画像が転写・定着されて排出部４８上に排出されるようになっている。
【００２９】
この構成により、以下のようにシート部材Ｐに画像が形成される。
【００３０】
先ず、画像処理部１２から露光装置１４に各色の階調データが順次出力され、この階調データに応じて露光装置１４からレーザ光ＬＢ−Ｙ、ＬＢ−Ｍ、ＬＢ−Ｃ、ＬＢ−Ｋが出射される。このレーザ光ＬＢ−Ｙ、ＬＢ−Ｍ、ＬＢ−Ｃ、ＬＢ−Ｋは、帯電部材２０によって帯電した像保持体１８の表面に走査露光され、像保持体１８の表面に静電潜像が形成される。像保持体１８上に形成された静電潜像は、現像部材２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００３１】
さらに、各画像形成部１６Ｙ、１６Ｍ、１６Ｃ、１６Ｋの上方に渡って配置された一次転写ユニット２１の一次転写ロール３４によって、像保持体１８上に形成されたイエロー（Ｙ）、マゼンタ（Ｍ）、シアン（Ｃ）、ブラック（Ｋ）の各色のトナー画像が、周回する中間転写ベルト３２上に多重に転写される。
【００３２】
周回する中間転写ベルト３２上に多重に転写された各色のトナー画像は、二次転写ロール４２により、給紙部材５０から給紙ロール５２、分離ロール５４、位置合せロール５８によって用紙搬送経路５６に搬送されたシート部材Ｐに二次転写される。
【００３３】
トナー画像が転写されたシート部材Ｐは、定着装置４４へと搬送され、シート部材Ｐに転写されたトナー画像は、定着装置４４によってシート部材Ｐに定着される。トナー画像が定着されたシート部材Ｐは、画像形成装置１０の装置本体１０Ａの上部に設けられた排出部４８に排出ロール４６によって排出される。
【００３４】
一方、シート部材Ｐの両面に画像を形成させる場合は、定着装置４４によって片面にトナー画像が定着されたシート部材Ｐを、排出ロール４６によって排出部４８上にそのまま排出せずに、搬送方向を切り替え、搬送ロール６０を介して両面用搬送経路６２へと搬送する。両面用搬送経路６２に沿ってシート部材Ｐを搬送することで、シート部材Ｐの表裏を反転して、シート部材Ｐを再度位置合せロール５８へ搬送する。今度は、シート部材Ｐの裏面にトナー画像が転写・定着され、トナー画像が転写・定着されたシート部材Ｐは、排出部４８に排出ロール４６によって排出される。
【００３５】
（要部構成）
次に、像保持体ユニット７０について説明する。
【００３６】
図１、図２に示されるように、像保持体ユニット７０に設けられた円柱形状の像保持体１８は、円柱形状の中心線上に延びて長尺状とされる軸部の一例としての軸部材７２を備えている。
【００３７】
像保持体１８は、この軸部材７２の軸線周りに回転可能とされ、回転しながら帯電した表面に露光装置１４（図５参照）から出射されるレーザ光ＬＢにより静電潜像が形成されるようになっている。
【００３８】
一方、像保持体１８の一端側である軸部材７２の長手方向の一端側（図中左側）には、ギア７４が固定されている。像保持体ユニット７０が装置本体１０Ａ（図５参照）に装着された状態では、ギア７４は、装置本体１０Ａに設けられたモータ７６の駆動軸７６Ａに固定されたギア７８と噛み合うようになっている。
【００３９】
これに対して、像保持体１８の他端側である軸部材７２の長手方向の他端側（図中右側）には、軸部材７２の長手方向の他端側を回転可能に支持する支持部材８０が設けられている。
【００４０】
さらに、像保持体１８の回転軸方向に沿って延び、先端部が像保持体１８の表面と接触し、回転する像保持体１８の表面から像保持体１８の表面に付着した異物を掻き取って像保持体１８の表面を清掃する清掃ブレード２４が設けられている。この清掃ブレード２４は、弾性材料（例えば、ウレタンゴム）で成形されると共に断面矩形状とされ、像保持体１８の回転軸方向に対して直交する方向から見て、像保持体１８の回転軸方向に沿って延びる矩形状（長方形状）とされている（図１参照）。
【００４１】
また、清掃ブレード２４の基端側には、清掃ブレード２４の基端側を清掃ブレード２４の長手方向に沿って支持する金属製で板状の板金部材８２が設けられている。この板金部材８２は、例えば、板厚１．６〔ｍｍ〕の板材を清掃ブレード２４の長手方向に沿って折り曲げることで成形されている。
【００４２】
具体的には、清掃ブレード２４の基端側と板金部材８２の先端側とは清掃ブレード２４の長手方向に沿って面接触しており、この面接触部において接着剤（図示省略）により、固定されている。
【００４３】
なお、本実施形態では、清掃ブレード２４の長手方向の両端側の縁辺と、板金部材８２の両端側の縁辺とは、像保持体１８の回転軸方向に対して直交する方向から見て、上下方向に延びる同一直線上に配置されている（図１参照）。
【００４４】
図３に示されるように、板金部材８２には、軸部材７２の一端側（図中左側）に配置される取付孔９０と、軸部材７２（図２参照）の他端側（図中右側）に配置される取付孔９２とが形成されている。
【００４５】
また、板金部材８２と対向するように、像保持体ユニット７０の装置本体の一例としてのユニット本体７０Ａ（図５参照）に設けられたフレーム部材８６（ユニット本体７０Ａを構成する場合も含む）が配置され、このフレーム部材８６には、取付孔９０及び取付孔９２と対応するように、２個の雌ねじ孔８６Ａが形成されている。
【００４６】
さらに、板金部材８２に設けられた取付孔９０を通してフレーム部材８６の雌ねじ孔８６Ａにねじ込まれることで、板金部材８２をフレーム部材８６に固定する第一固定部材の一例としての第一ボルト９４が設けられている。
【００４７】
同様に、板金部材８２に設けられた取付孔９２を通してフレーム部材８６の雌ねじ孔８６Ａにねじ込まれることで、板金部材８２をフレーム部材８６に固定する第二固定部材の一例としての第二ボルト９６が設けられている（図４参照）。
【００４８】
以上より、像保持体ユニット７０は、像保持体１８、支持部材８０、清掃ブレード２４、板金部材８２及びフレーム部材８６を含んで構成されている。
【００４９】
ここで、取付孔９０及び取付孔９２の配置位置について説明することで、第一ボルト９４及び第二ボルト９６による板金部材８２の固定位置について説明する。
【００５０】
図１に示されるように、軸部材７２の一端側（図中左側）における清掃ブレード２４の端部と像保持体１８との一端接触部Ｇから取付孔９０の中心までの像保持体１８の回転軸方向に沿った距離を距離Ｈとする。さらに、軸部材７２の他端側（図中右側）における清掃ブレード２４の端部と像保持体１８との他端接触部Ｊから取付孔９２の中心までの像保持体１８の回転軸方向に沿った距離を距離Ｋとする。
【００５１】
この距離Ｋと距離Ｈとの関係については、距離Ｋが距離Ｈより長くなるように、取付孔９０及び取付孔９２の配置位置が決められている。
【００５２】
換言すれば、一端接触部Ｇから第一ボルト９４による固定点までの像保持体１８の回転軸方向に沿った距離である距離Ｈよりも、他端接触部Ｊから第二ボルト９６による固定点までの像保持体１８の回転軸方向に沿った距離である距離Ｋが長くされている。
【００５３】
さらに換言すれば、板金部材８２の長手方向中心部から第二ボルト９６による固定点までの距離である距離Ｍは、板金部材８２の長手方向中心部から第一ボルト９４による固定点までの距離である距離Ｎより短くされている。
【００５４】
（作用）
次に、像保持体ユニット７０の作用について説明する。
【００５５】
図１、図２に示されるように、装置本体１０Ａ（図５参照）に設けられたモータ７６の駆動力により、駆動軸７６Ａ及びギア７８が回転する。ギア７８が回転することで、ギア７８と噛み合うギア７４が回転し、回転力が像保持体１８に備えられた軸部材７２に伝達される。
【００５６】
図５に示されるように、回転力が軸部材７２に伝達されることで、像保持体１８が回転し、露光装置１４から出射されるレーザ光ＬＢにより、帯電した像保持体１８の表面には静電潜像が形成される。像保持体１８の表面に形成された静電潜像は、現像部材２２によりトナー画像として可視化され、一次転写ロール３４によって中間転写ベルト３２上に転写される。
【００５７】
図１、図２に示されるように、中間転写ベルト３２（図５参照）に転写されずに像保持体１８の表面に残留した残留トナー等の異物は、先端部が像保持体１８の表面と接触する清掃ブレード２４によって、回転する像保持体１８の表面から掻き落とされる。
【００５８】
具体的には、清掃ブレード２４の先端部を像保持体１８の表面に圧接させることで、像保持体１８の表面に付着した異物を像保持体１８の表面から掻き落とす。
【００５９】
ここで、清掃ブレード２４の先端部が像保持体１８の表面に圧接した状態で、像保持体１８が回転するため、像保持体１８の表面と清掃ブレード２４の先端部との間に摩擦力が生じ、像保持体１８の表面層が摩耗する。表面層が摩耗することで、像保持体１８の表面層の膜厚が減少する。
【００６０】
像保持体１８の回転軸方向に沿って像保持体１８の表面に生じる清掃ブレード２４の接触圧力のむらがある場合は、像保持体１８の表面層の膜厚の減少量についても像保持体１８の回転軸方向に沿ってむらが生じる。
【００６１】
像保持体１８の表面層の膜厚の減少量にむらが生じることで、像保持体１８の表面層の膜厚についても像保持体１８の回転軸方向に沿ってむらが生じる。これにより、像保持体１８の表面の帯電位についてもむらが生じるため、像保持体１８の表面に形成されるトナー画像の濃度についてもむらが生じる。これにより、シート部材Ｐに転写されるトナー画像（出力画像）の濃度についてもむらが生じる。
【００６２】
ここで、像保持体１８の表面に対する清掃ブレード２４の接触圧力について検討するため、先ず、回転する像保持体１８の表面位置について検討する。回転する像保持体１８の表面位置が設計値に対してばらつくと、清掃ブレード２４の先端が像保持体１８の表面に強く当たり（接触し）、清掃ブレード２４の接触圧力が部分的に高くなるためである。
【００６３】
軸部材７２の一端側については、像保持体１８に回転力が伝達される状態では、モータ７６の駆動軸７６Ａに固定されたギア７８と、像保持体１８の軸部材７２の一端側に固定されたギア７４とは噛み合っている。つまり、ギア７４は、ギア７８と噛み合うことで位置が定まる（決まる）。このため、ギア７４を備える軸部材７２の一端側も位置が定まる（決まる）。
【００６４】
一方、軸部材７２の他端側については、支持部材８０が、軸部材７２の他端側を回転可能に支持している。ここで、支持部材８０が回転可能に軸部材７２を支持するため、軸部材７２と支持部材８０との間には、ガタが生じている。
【００６５】
以上より、像保持体１８の他端側の表面位置は、像保持体１８の一端側の表面位置に比して、回転時に設計値に対してばらつく（大きく振れ回る）。像保持体１８の他端側の表面位置が、軸部材７２と支持部材８０との間にガタが生じている軸部材７２の他端側に配置され、像保持体１８の一端側の表面位置は、モータ７６の駆動軸７６Ａに固定されたギア７８と噛み合って位置が定まるギア７４が設けられる軸部材７２の一端側に配置されているからである。
【００６６】
像保持体１８の他端側の表面位置が一端側の表面位置より、回転時に設計値に対してばらつくことで、像保持体１８の表面に対する清掃ブレード２４の接触圧力については、像保持体１８の他端側が一端側に比して高くなる。つまり、図１の他端接触部Ｊ側での清掃ブレード２４の接触圧力が、一端接触部Ｇ側での清掃ブレード２４の接触圧力より高くなる。
【００６７】
ここで、清掃ブレード２４を支持する板金部材８２について検討する。回転時に像保持体１８と清掃ブレード２４との間で生じる摩擦力が清掃ブレード２４を介して伝達される板金部材８２は、像保持体１８から離れる方向に撓んで変形する。図１に示されるように、他端接触部Ｊから第二ボルト９６までの距離Ｋは、一端接触部Ｇから第一ボルト９４までの距離Ｈよりも長くされている。一端接触部Ｇに比して固定点からの距離が長い他端接触部Ｊの清掃ブレード２４の接触圧力は、一端接触部Ｇに比して、板金部材８２の変形による影響を大きく受ける。
【００６８】
つまり、一端接触部Ｇより板金部材８２の変形（像保持体１８から離れる方向への変形）による影響を大きくうける他端接触部Ｊでは、像保持体１８から離れようとする変位量が大きいため、一端接触部Ｇよりも、清掃ブレード２４の接触圧力が低くなる。
【００６９】
このように、回転する像保持体１８の表面位置のばらつきを考慮すると、他端接触部Ｊにおける清掃ブレード２４の接触圧力が高くなる。しかし、他端接触部Ｊでは、一端接触部Ｇに比して、板金部材８２の変形による影響を大きく受けるように第一ボルト９４及び第二ボルト９６の配置位置（固定位置）が決められているため、他端接触部Ｊにおける清掃ブレード２４の接触圧力が低くなる。これにより、像保持体１８の回転軸方向に沿って像保持体１８の表面に生じる清掃ブレード２４の接触圧力のむらが抑制される。
【００７０】
また、清掃ブレード２４の接触圧力のむらが抑制されるため、像保持体１８の回転軸方向に沿って生じる像保持体１８の表面層の膜厚の減少量のむらが抑制される。
【００７１】
また、像保持体１８の表面層の膜厚の減少量のむらが抑制されるため、像保持体１８の回転軸方向に沿って生じる像保持体１８の表面層の膜厚のむらが抑制される。
【００７２】
また、像保持体１８の表面層の膜厚のむらが抑制されるため、像保持体１８の寿命が延びる。
【００７３】
また、像保持体１８の表面層の膜厚のむらが抑制されるため、像保持体１８の回転軸方向に沿って生じる像保持体１８の表面における帯電位のむらが抑制される。
【００７４】
また、像保持体１８の表面における帯電位のむらが抑制されるため、像保持体１８の回転軸方向に沿って生じる像保持体１８の表面に形成されるトナー画像の濃度のむらが抑制される。
【００７５】
また、像保持体１８の表面に形成されるトナー画像の濃度のむらが抑制されるため、像保持体１８の回転軸方向に沿って生じるシート部材Ｐに転写される出力画像（トナー画像）の濃度のむらが抑制される。
【００７６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、像保持体１８が軸部の一例としての軸部材７２を備える構成を例にとって説明したが、特に別の部材として軸部材７２を備える必要がなく、像保持体１８の中心線上に延びて設けられる軸部が像保持体の一部として備えられていてもよい。
【００７７】
また、上記実施形態では、ギア７４をギア７８に噛み合せることで、モータ７６により生じる回転力を像保持体１８に伝達させたが、特にギアに限定されず、例えば、カップリング構造等を用いることで、モータにより生じた回転力を像保持体に伝達させてもよい。
【００７８】
また、上記実施形態では、第一ボルト９４及び第二ボルト９６を用いて板金部材８２を、フレーム部材８６に固定したが、特にボルトに限定されず、例えば、溶接、クリップ及び接着等で、板金部材８２をフレーム部材８６に固定してもよい。
【符号の説明】
【００７９】
１０          画像形成装置
１４          露光装置（露光部材の一例）
１８          像保持体
２０          帯電部材
２２          現像部材
２４          清掃ブレード（清掃部材の一例）
７０          像保持体ユニット（像保持体装置の一例）
７０Ａ        ユニット本体（装置本体の一例）
８０          支持部材
８２          板金部材
８６          フレーム部材
９４          第一ボルト（第一固定部材の一例）
９６          第二ボルト（第二固定部材の一例）
【図１】
2013072889.tif 000003
【図２】
2013072889.tif 000004
【図３】
2013072889.tif 000005
【図４】
2013072889.tif 000006
【図５】
2013072889.tif 000007